(57)【要約】【課題】遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事の不要化や遊技台入れ替え作業の効率化が可能な遊技台および遊技場無線通信システムを提供する。【解決手段】本発明の遊技場無線通信システム１は、ホールコンピュータ側送受信ユニット２に遊技台情報を無線通信するための遊技台送受信部３と、遊技台情報に基づいてデータ集計するための演算処理部４と、遊技台情報および遊技台情報に基づいて集計されたデータを集積するためのデータ記憶部５と、それらをコントロールする制御部６を有した遊技台Ｐと、遊技台Ｐの遊技台送受信部３との間で遊技台情報を無線通信するためのホールコンピュータ側送受信ユニット２と、ホールコンピュータ側送受信ユニット２に接続されたホールコンピュータＨＣを有している。【選択図】図２
2017217205.tif 000002
【特許請求の範囲】
【請求項１】
ホールコンピュータに接続されたホールコンピュータ側送受信ユニットに遊技台情報を無線通信するための遊技台送受信部と、遊技台情報に基づいてデータ集計するための演算処理部と、遊技台情報および遊技台情報に基づいて集計されたデータを集積するためのデータ記憶部と、前記遊技台送受信部、前記演算処理部および前記データ記憶部をコントロールする制御部を有していることを特徴とする遊技台。
【請求項２】
前記遊技台送受信部は、遊技台情報を定期的に前記ホールコンピュータ側送受信ユニットに無線送信する請求項１に記載の遊技台。
【請求項３】
前記遊技台送受信部は、前記ホールコンピュータ側送受信ユニットを介する前記ホールコンピュータからの遊技台情報の送信指令を受信すると、遊技台情報を前記ホールコンピュータ側送受信ユニットに無線送信する請求項１または２に記載遊技台）。
【請求項４】
ホールコンピュータに接続されたホールコンピュータ側送受信ユニットに遊技台情報を無線通信するための遊技台送受信部と、遊技台情報に基づいてデータ集計するための演算処理部と、遊技台情報および遊技台情報に基づいて集計されたデータを集積するためのデータ記憶部と、前記遊技台送受信部、前記演算処理部および前記データ記憶部をコントロールする制御部を有した遊技台と、該遊技台の前記遊技台送受信部との間で遊技台情報を無線通信するための前記ホールコンピュータ側送受信ユニットと、該ホールコンピュータ側送受信ユニットに接続された前記ホールコンピュータとを有していることを特徴とする遊技場無線通信システム。
【請求項５】
前記遊技台の前記制御部は、周辺機器に接続可能に構成されており、前記周辺機器からの周辺機器情報を前記遊技台送受信部を介して前記ホールコンピュータ側送受信ユニットに無線送信可能に構成されている請求項４に記載の遊技場無線通信システム。
【請求項６】
前記ホールコンピュータは、防犯カメラシステム作動機能を有し、前記遊技台送受信部からの前記周辺機器情報に基づき防犯カメラシステムを作動するよう制御可能である請求項４または５に記載の遊技場無線通信システム。
【請求項７】
前記ホールコンピュータは、前記ホールコンピュータ側送受信ユニットを介する前記遊技台送受信部への設定回数の送信に対して、前記遊技台送受信部から応答がない場合は異常とみなす遊技台生存確認機能を有している請求項４に記載の遊技場無線通信システム。
【請求項８】
前記ホールコンピュータは、前記遊技台送受信部からの遊技台情報に基づき音響装置に対して業務放送を出力する業務放送指令機能を有している請求項４ないし７のいずれかに記載の遊技場無線通信システム。
【請求項９】
前記ホールコンピュータ側送受信ユニットは、内部に前記ホールコンピュータを備えている請求項４ないし７のいずれかに記載の遊技場無線通信システム。
【発明の詳細な説明】
【技術分野】
【０００１】
本発明は、パチンコ機などの遊技台における遊技台情報等をホールコンピュータに送信するための無線通信手段を備えた遊技台、およびその遊技台を備えた遊技場無線通信システムに関するものである。
【背景技術】
【０００２】
従来より、パチンコ機や回胴式遊技機（パチスロ機）などの遊技台を多数配した遊技場（ホール）では、図７に示すように、数百台から千台を超える遊技台８０に関する遊技台情報等を、遊技台８０から有線で一台のホールコンピュータ９０に送信し、ホールコンピュータ９０にてデータ集積および集計処理を行っている。
【０００３】
また、各遊技台８０からの遊技台に関する情報は秒単位で不定期にホールコンピュータ９０に送信されており、大型店舗化が進む遊技場ではデータ集積および集計処理が困難であった。
【０００４】
さらに、遊技場内には多種多様な信号配線が張り巡らされることとなり配線作業が複雑化し、遊技台８０の入れ替え作業も煩雑なものとなっていた。
【発明の概要】
【発明が解決しようとする課題】
【０００５】
そこで、本発明は、上記問題点を一挙に解決するために想起されたものであり、すなわち、本発明の課題は、遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる遊技台およびその遊技台を備えた遊技場無線通信システムを提供することにある。
【課題を解決するための手段】
【０００６】
上記課題を解決するものは、ホールコンピュータに接続されたホールコンピュータ側送受信ユニットに遊技台情報を無線通信するための遊技台送受信部と、遊技台情報に基づいてデータ集計するための演算処理部と、遊技台情報および遊技台情報に基づいて集計されたデータを集積するためのデータ記憶部と、前記遊技台送受信部、前記演算処理部および前記データ記憶部をコントロールする制御部を有していることを特徴とする遊技台である（請求項１）。
【０００７】
前記遊技台送受信部は、遊技台情報を定期的に前記ホールコンピュータ側送受信ユニットに無線送信することが好ましい（請求項２）。前記遊技台送受信部は、前記ホールコンピュータ側送受信ユニットを介する前記ホールコンピュータからの遊技台情報の送信指令を受信すると、遊技台情報を前記ホールコンピュータ側送受信ユニットに無線送信することが好ましい（請求項３）。
【０００８】
また、上記課題を解決するものは、ホールコンピュータに接続されたホールコンピュータ側送受信ユニットに遊技台情報を無線通信するための遊技台送受信部と、遊技台情報に基づいてデータ集計するための演算処理部と、遊技台情報および遊技台情報に基づいて集計されたデータを集積するためのデータ記憶部と、前記遊技台送受信部、前記演算処理部および前記データ記憶部をコントロールする制御部を有した遊技台と、該遊技台の前記遊技台送受信部との間で遊技台情報を無線通信するための前記ホールコンピュータ側送受信ユニットと、該ホールコンピュータ側送受信ユニットに接続された前記ホールコンピュータとを有していることを特徴とする遊技場無線通信システムである（請求項４）。
【０００９】
前記遊技台の前記制御部は、周辺機器に接続可能に構成されており、前記周辺機器からの周辺機器情報を前記遊技台送受信部を介して前記ホールコンピュータ側送受信ユニットに無線送信可能に構成されていることが好ましい（請求項５）。前記ホールコンピュータは、防犯カメラシステム作動機能を有し、前記遊技台送受信部からの前記周辺機器情報に基づき防犯カメラシステムを作動するよう制御可能であることが好ましい（請求項６）。前記ホールコンピュータは、前記ホールコンピュータ側送受信ユニットを介する前記遊技台送受信部への設定回数の送信に対して、前記遊技台送受信部から応答がない場合は異常とみなす遊技台生存確認機能を有していることが好ましい（請求項７）。前記ホールコンピュータは、前記遊技台送受信部からの遊技台情報に基づき音響装置に対して業務放送を出力する業務放送指令機能を有していることが好ましい（請求項８）。前記ホールコンピュータ側送受信ユニットは、内部に前記ホールコンピュータを備えていてもよい（請求項９）。
【発明の効果】
【００１０】
請求項１に記載した遊技台によれば、遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる。
請求項２に記載した遊技台によれば、遊技台数が多い大型店舗でも遊技台情報のデータ集積および集計処理を効率的かつ確実に行うことができる。
請求項３に記載した遊技台によれば、ホールコンピュータが必要な時に各遊技台の遊技台情報を容易に取得することができると共に、各遊技台の遊技台情報を基本的に遊技台側送受信ユニットが集積し、ホールコンピュータから要求があった場合だけ送信することでホールコンピュータにおけるデータ集積および集計処理の困難性を回避できる。
請求項４に記載した遊技場無線通信システムによれば、遊技台情報を遊技台毎にデータ集積および集計処理できると共にホールコンピュータに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる。
請求項５に記載した遊技場無線通信システムによれば、周辺機器情報のデータ集積および集計処理や不正監視を遊技台側送受信ユニットまたはホールコンピュータで効率的に行うことができる。
請求項６に記載した遊技場無線通信システムによれば、遊技者の不正行為を撮影することができる。
請求項７に記載した遊技場無線通信システムによれば、ホールコンピュータによって遊技台側送受信ユニットの生存確認およびその処理を行うことができる。
請求項８に記載した遊技場無線通信システムによれば、ホールコンピュータによって音響装置から業務放送を出力することができる。
請求項９に記載した遊技場無線通信システムによれば、ホールコンピュータをホールコンピュータ側送受信ユニットと別に構成することが不要となる。
【図面の簡単な説明】
【００１１】
【図１】本発明の遊技場無線通信システムの一実施例を概略構成図である。
【図２】図１に示した遊技場無線通信システムの説明図である。
【図３】図１に示した遊技場無線通信システムをパチンコ機に設置した場合の配線概略図である。
【図４】図１に示したで遊技場無線通信システムを回胴式遊技機（パチスロ機）に設置した場合の配線概略図である。
【図５】本発明の遊技場無線通信システムの他の実施例を概略構成図である。
【図６】図５に示した遊技場無線通信システムの説明図である。
【図７】従来の遊技台情報通信システムを説明するための説明図である。
【発明を実施するための形態】
【００１２】
本発明では、ホールコンピュータＨＣに接続されたホールコンピュータ側送受信ユニット２に遊技台情報を無線通信するための遊技台送受信部３と、遊技台情報に基づいてデータ集計するための演算処理部４と、遊技台情報および遊技台情報に基づいて集計されたデータを集積するためのデータ記憶部５と、遊技台送受信部３、演算処理部４およびデータ記憶部５をコントロールする制御部６を有した遊技台Ｐと、遊技台Ｐの遊技台送受信部３との間で遊技台情報を無線通信するためのホールコンピュータ側送受信ユニット２と、ホールコンピュータ側送受信ユニット２に接続されたホールコンピュータＨＣとを有することで、遊技台情報を遊技台Ｐ毎にデータ集積および集計処理できると共にホールコンピュータＨＣに定期的に無線送信することもでき、遊技台数が多い大型店舗でも遊技台情報のデータ集積および集計処理を効率的かつ確実に行うことができ、さらに、遊技島内の配線工事を不要化できると共に遊技台入れ替え作業も効率化できる遊技場無線通信システム１を実現した。
【実施例１】
【００１３】
本発明の遊技場無線通信システムを図１ないし図４に示した一実施例を用いて説明する。
この実施例の遊技場無線通信システム１は、図２に示すように、ホールコンピュータＨＣに接続されたホールコンピュータ側送受信ユニット２に遊技台情報を無線通信するための遊技台送受信部３と、遊技台情報に基づいてデータ集計するための演算処理部４と、遊技台情報および遊技台情報に基づいて集計されたデータを集積するためのデータ記憶部５と、遊技台送受信部３、演算処理部４およびデータ記憶部５をコントロールする制御部６を有した遊技台Ｐと、遊技台Ｐの遊技台送受信部３との間で遊技台情報を無線通信するためのホールコンピュータ側送受信ユニット２と、ホールコンピュータ側送受信ユニット２に接続されたホールコンピュータＨＣを有している。すなわち、遊技場無線通信システム１は、基本的な構成として、図１に示すように、遊技台Ｐと、ホールコンピュータ側送受信ユニット２と、ホールコンピュータＨＣとを有している。以下、各構成について順次詳述する。
【００１４】
遊技台Ｐは、パチンコ機または回胴式遊技機（パチスロ機）であり、図２に示すように、内部において、遊技台情報出力部７から制御部６へ遊技台情報が出力されるように構成されている。
【００１５】
具体的には、遊技台Ｐがパチンコ機Ｐである場合は、図３に示すように、遊技台情報は、確率変動信号、大当たり信号、図柄確定信号、賞球信号、アウト信号またはガラス開閉信号などであり、これら遊技台情報等は、まず、制御部６に入力される。他方、遊技台Ｐが回胴式遊技機（パチスロ機）Ｐ２である場合は、図４に示すように、遊技台情報は、払い出し信号、投入信号、小当たり信号、大当たり信号などである。
【００１６】
遊技台送受信部３は、ホールコンピュータＨＣに接続されたホールコンピュータ側送受信ユニット２に対して遊技台情報や周辺機器情報を無線通信するためのものである。
【００１７】
演算処理部４は、遊技台情報や周辺機器情報に基づいてデータ集計やデータ加工および編集を行うためのものである。
【００１８】
データ記憶部５は、遊技台情報や周辺機器情報およびそれらに基づいて演算処理部４にて集計されたデータを集積するためのものである。
【００１９】
そして、遊技台Ｐは、遊技台送受信部３、演算処理部４、データ記憶部５および遊技台情報出力部７をコントロールする制御部６（演算処理部４＋制御部６：ＣＰＵ）を有している。
【００２０】
このように、本発明の遊技台Ｐは、遊技台自体が、演算処理部４にて遊技台情報や周辺機器情報に基づいてデータ集計等を行う機能を有し、さらに、遊技台情報や周辺機器情報およびそれらに基づいて集計等されたデータをデータ記憶部５にて集積する機能を有し、ホールコンピュータと同種の機能（マイコン）を有している点に第１の特徴を有するものである。
【００２１】
さらに、本発明の遊技台Ｐは、遊技台送受信部３が、遊技台情報や周辺機器情報およびそれらに基づいて集計等されたデータをホールコンピュータ側送受信ユニット２へ無線通信する機能を有する点に第２の特徴を有している。
【００２２】
具体的には、この実施例の遊技台送受信部３は、無線ＬＡＮ方式によりホールコンピュータ側送受信ユニット２との間で双方に無線通信することができるように構成されている。
【００２３】
また、遊技台送受信部３は、ホールコンピュータ側送受信ユニット２との間で定期通信、要求通信、異常時通信が行われるように構成されている。
【００２４】
定期通信は、遊技台情報や周辺機器情報を定期的にホールコンピュータ側送受信ユニット２に無線送信するものであり、この実施例では、約５秒〜１０秒の間で定期通信するよう設定できるように構成されている。これにより、遊技台数が多い大型店舗でも遊技台情報や周辺機器情報のデータ集積および集計処理を効率的かつより確実に行うことができる。
【００２５】
なお、周辺機器情報としては、例えばパチンコ台のアウトタンクからの信号、補給装置からの信号、玉切れスイッチからの信号、台扉センサーからの信号、売上（現金台間玉貸し機及びメダル貸し機）からの信号、売上（プリペイドカード式貸し機）からの信号、または呼び出しランプからの信号などが挙げられ、周辺機器情報とは、周辺機器（例えば呼び出しランプ２０ａ、データランプ、計数機、台間玉貸機やメダル貸出機２０ｂなどのサンド各種、不正検知機器）２０からの各種情報であり、このような周辺機器情報も異常信号や不正行為に関する信号以外は定期通信されるように構成されている。
【００２６】
要求通信は、ホールコンピュータ側送受信ユニット２を介する、専用アプリケーション３０をダウンロードしたホールコンピュータＨＣからの遊技台情報または周辺機器情報の送信指令を、遊技台送受信部３が受信すると、遊技台情報や周辺機器情報をホールコンピュータ側送受信ユニット２に無線送信するものである。これにより、ホールコンピュータＨＣが必要な時に各遊技台Ｐの遊技台情報または周辺機器情報を容易に取得することができると共に、各遊技台Ｐの遊技台情報を基本的に遊技台Ｐが集積し、ホールコンピュータＨＣから要求があった場合のみ送信することでホールコンピュータにおけるデータ集積および集計処理の困難性を低減できるように構成されている。
【００２７】
異常時通信は、遊技台Ｐや周辺機器２０に異常や不正があった場合に、異常信号や不正行為に関する信号を、遊技台送受信部３からホールコンピュータ側送受信ユニット２に即座に伝達する無線通信である。
【００２８】
すなわち、遊技台送受信部３は、図２ないし４に示すように、各種周辺機器２０に接続可能に構成されており、周辺機器２０からの周辺機器情報もホールコンピュータ側送受信ユニット３に無線送信可能に構成されている。これにより、周辺機器情報のデータ集積および集計処理や不正監視を遊技台送受信部３またはホールコンピュータＨＣで効率的に行うことができる。
【００２９】
ホールコンピュータ側送受信ユニット２は、ホールコンピュータＨＣに接続されると共にホールコンピュータＨＣに遊技台送受信部３から無線送信された遊技台情報や周辺機器情報およびそれらの集計データ等を伝達するためのものであり、図２に示すように、遊技台送受信部３との間で双方に無線通信するための送受信部８を有している。
【００３０】
ホールコンピュータＨＣは、専用アプリケーション３０により、遊技台送受信部３からの遊技台情報や周辺機器情報を集積すると共に各種集計等を行い、その結果を、画面に表示し、かつプリンターにて印字可能に構成されている。
【００３１】
具体的には、ホールコンピュータＨＣは、遊技台送受信部３からの遊技台情報や周辺機器情報を基本データとして、個々のデータ集計業務計算、遊技島毎のデータ集計業務計算、機種毎のデータ集計業務計算、遊技台（パチンコ機、パチスロ機）毎の集計業務計算、または店舗全体の集計業務計算などを行う。
【００３２】
また、ホールコンピュータＨＣは、防犯カメラシステム作動機能を有しており、遊技台送受信部３からの周辺機器情報（不正信号）に基づき防犯カメラシステムを作動制御するよう構成されている。これにより、遊技者の不正行為を撮影することができる。
【００３３】
さらに、ホールコンピュータＨＣは、ホールコンピュータ側送受信ユニット２を介する遊技台送受信部３への設定回数（この実施例では３回）の送信に対して、遊技台送受信部３から応答がない場合は異常とみなす遊技台生存確認機能を有している。これにより、ホールコンピュータＨＣによって遊技台Ｐまたは遊技台送受信部３の生存確認および遊技台Ｐの修理等事後処理を行うことができる。
【００３４】
さらに、ホールコンピュータＨＣは、遊技台送受信部３からの遊技台情報に基づき音響装置（図示しない）に対して業務放送を出力する業務放送指令機能を有している。これにより、ホールコンピュータＨＣによって音響装置から業務放送を出力することができる。
【００３５】
以上のように、本発明の遊技場無線通信システム１は、遊技台情報を遊技台Ｐ毎にデータ集積および集計処理できると共に、ホールコンピュータＨＣに定期的に無線送信することもでき、さらに、各遊技台Ｐの遊技台情報を基本的に遊技台Ｐが集積し、ホールコンピュータＨＣから要求があった場合のみ遊技台Ｐの遊技台情報を送信させることもできるため、遊技台数が多い大型店舗でも遊技台情報のデータ集積および集計処理を効率的かつ確実に行うことができると共に、ホールコンピュータＨＣにおけるデータ集積および集計処理の困難性を低減させることもできる。
【００３６】
また、本発明の遊技場無線通信システム１は、遊技台Ｐ自体がデータ集積するためのデータ記憶部５と、データ集計するための演算処理部４と、ホールコンピュータ側送受信ユニット２との間で無線通信するための遊技台送受信部（無線ＬＡＮ方式）３と、それらをコントロールする制御部６とを有し、ホールコンピュータ側送受信ユニット２との間で双方向無線通信が可能に構成されているため、遊技台情報や周辺機器情報その他のデータや指令を遊技台送受信部３とホールコンピュータＨＣ間で自在に通信でき、遊技場内における通信を必要とする、その他の様々な業務も効率化することができる。
【００３７】
さらに、本発明の遊技場無線通信システム１は、遊技台ＰとホールコンピュータＨＣとが無線通信を行うため、配線が不要となり、遊技島内の配線工事を不要化できると共に遊技台入れ替え作業も極めて容易なものとなる。
【００３８】
つぎに、図５および６に示した本発明の他の実施例について説明する。
この実施例の遊技場無線通信システム４０と前述した遊技場無線通信システム１との基本的な相違点は、遊技場無線通信システム４０のホールコンピュータ側送受信ユニット４１が、内部にホールコンピュータＨＣを備えている点である。遊技場無線通信システム１と同一構成部分については同一符号を付し説明を省略する。
【００３９】
このように、ホールコンピュータ側送受信ユニット４１が内部にホールコンピュータＨＣを備えることにより、ホールコンピュータをホールコンピュータ側送受信ユニットと別に構成することが不要となり設備費用をより低廉化することができる。
【符号の説明】
【００４０】
１        遊技場無線通信システム
２        ホールコンピュータ側送受信ユニット
３        遊技台送受信部
４        演算処理部
５        データ記憶部
６        制御部
７        遊技台情報出力部
８        送受信部
２０      周辺機器
３０      専用アプリケーション
Ｐ        遊技台
ＨＣ      ホールコンピュータ
４０      遊技場無線通信システム
４１      ホールコンピュータ側送受信ユニット
【図１】
2017217205.tif 000003
【図２】
2017217205.tif 000004
【図３】
2017217205.tif 000005
【図４】
2017217205.tif 000006
【図５】
2017217205.tif 000007
【図６】
2017217205.tif 000008
【図７】
2017217205.tif 000009